(57)【要約】  本願は信号伝送方法、端末装置及びネットワーク装置を開示する。該方法は、端末装置は前記端末装置が時間領域リソースユニット中に物理リソースを予約する必要があるか否かを指示するリソース予約指示情報を含むダウンリンク制御情報ＤＣＩを受信するステップと、前記端末装置は前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定するステップと、を含む。本願の実施例に係る信号伝送方法、端末装置及びネットワーク装置によれば、リソース利用率を向上させる。
2020516095.tif 000002
【特許請求の範囲】
【請求項１】
信号伝送方法であって、
端末装置は、前記端末装置が時間領域リソースユニット中に物理リソースを予約する必要があるか否かを指示するリソース予約指示情報を含むダウンリンク制御情報ＤＣＩを受信するステップと、
前記端末装置は、前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定するステップと、を含むことを特徴とする信号伝送方法。
【請求項２】
前記ＤＣＩは、前記端末装置が前記時間領域リソースユニットによって前記第１信号を伝送することを指示することを特徴とする請求項１に記載の方法。
【請求項３】
前記ダウンリンク制御情報は公共ダウンリンク制御情報又はグループダウンリンク制御情報であり、前記公共ダウンリンク制御情報はダウンリンク制御チャネルの公共検索空間で伝送される情報であり、前記グループダウンリンク制御情報は複数の端末装置を含む端末装置集合中の各端末装置に伝送される情報であることを特徴とする請求項１に記載の方法。
【請求項４】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項１〜３のいずれか一項に記載の方法。
【請求項５】
前記リソース予約指示情報により前記端末装置が前記時間領域リソースユニット中に物理リソースを予約する必要がないと指示される場合、前記端末装置は前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定することは、
前記端末装置は前記時間領域リソースユニットから前記第１物理リソース又は前記第２物理リソースを決定するステップを含むことを特徴とする請求項１〜４のいずれか一項に記載の方法。
【請求項６】
前記リソース予約指示情報により前記端末装置が前記時間領域リソースユニット中に物理リソースを予約する必要があると指示される場合、前記端末装置は前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定することは、
前記端末装置は前記リソース予約指示情報に基づき、前記時間領域リソースユニット中の予約物理リソースを決定するステップと、
前記端末装置は前記時間領域リソースユニット中の前記予約物理リソースを除くほかの物理リソースから前記第１物理リソース、又は前記第２物理リソースを決定するステップと、を含むことを特徴とする請求項１〜４のいずれか一項に記載の方法。
【請求項７】
前記第１信号は復調基準信号ＤＭＲＳ信号であり、前記端末装置は前記時間領域リソースユニット中の前記予約物理リソースを除くほかの物理リソースから前記第１物理リソースを決定することは、
前記端末装置は前記時間領域リソースユニット中の前記予約物理リソースを除くほかの物理リソースから、前記ＤＭＲＳ信号を送信するためのＯＦＤＭシンボルの位置及び／又はＯＦＤＭシンボルの数を含む前記第１物理リソースを決定するステップを含むことを特徴とする請求項６に記載の方法。
【請求項８】
前記端末装置は前記第１物理リソースに基づき、前記第１信号にレートマッチング処理又はパンチ処理を行うステップと、
前記端末装置はレートマッチング処理又はパンチ処理済みの前記第１信号を伝送するステップと、をさらに含むことを特徴とする請求項１〜７のいずれか一項に記載の方法。
【請求項９】
前記第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳであることを特徴とする請求項１〜８のいずれか一項に記載の方法。
【請求項１０】
前記端末装置は前記リソース予約指示情報に基づき、前記時間領域リソースユニット中のアップリンク／ダウンリンクガードインターバルによって占有される第２物理リソースを決定することは、
前記端末装置は前記リソース予約指示情報に基づき、前記時間領域リソースユニット中の前記アップリンク／ダウンリンクガードインターバルの位置及び／又は長さを決定するステップを含むことを特徴とする請求項１〜６のいずれか一項に記載の方法。
【請求項１１】
前記予約物理リソースはアップリンク基準信号又はダウンリンク基準信号を伝送するための物理リソースであることを特徴とする請求項１〜１０のいずれか一項に記載の方法。
【請求項１２】
信号伝送方法であって、
ネットワーク装置は、端末装置が時間領域リソースユニット中に物理リソースを予約する必要があるか否かを指示するリソース予約指示情報を含むダウンリンク制御情報ＤＣＩを決定するステップと、
ネットワーク装置は前記端末装置に前記ダウンリンク制御情報を送信し、それにより前記端末装置は前記リソース予約指示情報に基づき前記時間領域リソースユニット中の第１信号を伝送するための第１物理リソースを決定し、又は前記時間領域リソースユニット中のアップリンク／ダウンリンクガードインターバルによって占有される第２物理リソースを決定するステップと、を含むことを特徴とする信号伝送方法。
【請求項１３】
前記ＤＣＩは、前記端末装置が前記時間領域リソースユニットによって前記第１信号を伝送することを指示することを特徴とする請求項１２に記載の方法。
【請求項１４】
前記ダウンリンク制御情報は公共ダウンリンク制御情報又はグループダウンリンク制御情報であり、前記公共ダウンリンク制御情報は公共検索空間で伝送される情報であり、前記グループダウンリンク制御情報は複数の端末装置を含む端末装置集合中の各端末装置に伝送される情報であることを特徴とする請求項１２又は１３に記載の方法。
【請求項１５】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項１２〜１４のいずれか一項に記載の方法。
【請求項１６】
前記第１信号は復調基準信号ＤＭＲＳ信号であり、前記第１物理リソースは前記ＤＭＲＳ信号を送信するためのＯＦＤＭシンボルの位置及び／又はＯＦＤＭシンボルの数を含むことを特徴とする請求項１２〜１５のいずれか一項に記載の方法。
【請求項１７】
前記第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳであることを特徴とする請求項１２〜１６のいずれか一項に記載の方法。
【請求項１８】
前記予約物理リソースはアップリンク基準信号又はダウンリンク基準信号を伝送するための物理リソースであることを特徴とする請求項１２〜１７のいずれか一項に記載の方法。
【請求項１９】
端末装置であって、
前記端末装置が時間領域リソースユニット中に物理リソースを予約する必要があるか否かを指示するリソース予約指示情報を含むダウンリンク制御情報ＤＣＩを受信する伝送モジュールと、
前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定する処理モジュールと、を備えることを特徴とする端末装置。
【請求項２０】
前記ＤＣＩは、前記端末装置が前記時間領域リソースユニットによって前記第１信号を伝送することを指示することを特徴とする請求項１９に記載の端末装置。
【請求項２１】
前記ダウンリンク制御情報は公共ダウンリンク制御情報又はグループダウンリンク制御情報であり、前記公共ダウンリンク制御情報は公共検索空間で伝送される情報であり、前記グループダウンリンク制御情報は複数の端末装置を含む端末装置集合中の各端末装置に伝送される情報であることを特徴とする請求項１９に記載の端末装置。
【請求項２２】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項１９〜２１に記載の端末装置。
【請求項２３】
前記リソース予約指示情報により前記端末装置が前記時間領域リソースユニット中に物理リソースを予約する必要がないと指示される場合、前記処理モジュールは具体的には、
前記時間領域リソースユニットから前記第１物理リソース又は前記第２物理リソースを決定することを特徴とする請求項１９〜２２のいずれか一項に記載の端末装置。
【請求項２４】
前記リソース予約指示情報により前記端末装置が前記時間領域リソースユニット中に物理リソースを予約する必要があると指示される場合、前記処理モジュールは具体的には、
前記リソース予約指示情報に基づき、前記時間領域リソースユニット中の予約物理リソースを決定し、
前記時間領域リソースユニット中の前記予約物理リソースを除くほかの物理リソースから前記第１物理リソース、又は前記第２物理リソースを決定することを特徴とする請求項１９〜２２のいずれか一項に記載の端末装置。
【請求項２５】
前記第１信号は復調基準信号ＤＭＲＳ信号であり、前記処理モジュールは具体的には、
前記時間領域リソースユニット中の前記予約物理リソースを除くほかの物理リソースから、前記ＤＭＲＳ信号を送信するためのＯＦＤＭシンボルの位置及び／又はＯＦＤＭシンボルの数を含む前記第１物理リソースを決定することを特徴とする請求項２４に記載の端末装置。
【請求項２６】
前記処理モジュールはさらに、前記第１物理リソースに基づき、前記第１信号にレートマッチング処理又はパンチ処理を行い、
前記伝送モジュールはさらに、レートマッチング処理又はパンチ処理済みの前記第１信号を伝送することを特徴とする請求項１９〜２５のいずれか一項に記載の端末装置。
【請求項２７】
前記第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳであることを特徴とする請求項１９〜２６のいずれか一項に記載の端末装置。
【請求項２８】
前記処理モジュールは具体的には、
前記リソース予約指示情報に基づき、前記時間領域リソースユニット中の前記アップリンク／ダウンリンクガードインターバルの位置及び／又は長さを決定することを特徴とする請求項１９〜２２のいずれか一項に記載の端末装置。
【請求項２９】
前記予約物理リソースはアップリンク基準信号又はダウンリンク基準信号を伝送するための物理リソースであることを特徴とする請求項１９〜２８のいずれか一項に記載の端末装置。
【請求項３０】
信号を伝送するためのネットワーク装置であって、
端末装置が時間領域リソースユニット中に物理リソースを予約する必要があるか否かを指示するリソース予約指示情報を含むダウンリンク制御情報ＤＣＩを決定する処理モジュールと、
前記処理モジュールにより決定された前記ダウンリンク制御情報を前記端末装置に送信し、それにより前記端末装置は前記リソース予約指示情報に基づき前記時間領域リソースユニット中の第１信号を伝送するための第１物理リソースを決定し、又は前記時間領域リソースユニット中のアップリンク／ダウンリンクガードインターバルによって占有される第２物理リソースを決定する伝送モジュールと、を備えることを特徴とするネットワーク装置。
【請求項３１】
前記ＤＣＩは、前記端末装置が前記時間領域リソースユニットによって前記第１信号を伝送することを指示することを特徴とする請求項３０に記載のネットワーク装置。
【請求項３２】
前記ダウンリンク制御情報は公共ダウンリンク制御情報又はグループダウンリンク制御情報であり、前記公共ダウンリンク制御情報は公共検索空間で伝送される情報であり、前記グループダウンリンク制御情報は複数の端末装置を含む端末装置集合中の各端末装置に伝送される情報であることを特徴とする請求項３０又は３１に記載のネットワーク装置。
【請求項３３】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項３０〜３２のいずれか一項に記載のネットワーク装置。
【請求項３４】
前記第１信号は復調基準信号ＤＭＲＳ信号であり、前記第１物理リソースは前記ＤＭＲＳ信号を送信するためのＯＦＤＭシンボルの位置及び／又はＯＦＤＭシンボルの数を含むことを特徴とする請求項３０〜３３のいずれか一項に記載のネットワーク装置。
【請求項３５】
前記第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳであることを特徴とする請求項３０〜３４のいずれか一項に記載のネットワーク装置。
【請求項３６】
前記予約物理リソースはアップリンク基準信号又はダウンリンク基準信号を伝送するための物理リソースであることを特徴とする請求項３０〜３５のいずれか一項に記載のネットワーク装置。
【発明の詳細な説明】
【技術分野】
【０００１】
本願の実施例は通信分野に関し、より具体的には、信号伝送方法、端末装置及びネットワーク装置に関する。
【背景技術】
【０００２】
ロングタームエボリューション（Ｌｏｎｇ  Ｔｅｒｍ  Ｅｖｏｌｕｔｉｏｎ、ＬＴＥ）におけるサウンディング基準信号（Ｓｏｕｎｄｉｎｇ  Ｒｅｆｅｒｅｎｃｅ  Ｓｉｇｎａｌ、ＳＲＳ）の非周期的な伝送のシナリオでは、通常、ネットワーク装置はＳＲＳリソースを端末装置に予め割り当て、ＳＲＳリソースがＳＲＳを伝送するか否かにもかかわらず、端末装置はＳＲＳにＳＲＳリソースを予約する必要があり、且つ予約したＳＲＳリソースはほかのデータ伝送に使用できない。例えば、端末が物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を伝送する帯域幅はＳＲＳリソースの帯域幅と衝突する時、端末装置はＰＵＣＣＨを短くし、最後の直交周波数分割多重技術（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを予約してＳＲＳ伝送に備える。
【０００３】
しかしながら、ＳＲＳの非周期的な伝送のシナリオでは、端末装置はトリガーシグナリングを受信しなければＳＲＳ伝送を行わず、すなわち、端末装置が予約したＳＲＳリソースはＳＲＳを伝送していない可能性があるため、予約したＳＲＳリソースの浪費を招いてしまう。
【発明の概要】
【発明が解決しようとする課題】
【０００４】
本願の実施例は、リソース利用率を向上させることができる信号伝送方法を提供する。
【課題を解決するための手段】
【０００５】
第１態様によれば、信号伝送方法を提供し、端末装置は、該端末装置が時間領域リソースユニット中に物理リソースを予約する必要があるか否かを指示するリソース予約指示情報を含むダウンリンク制御情報ＤＣＩを受信するステップと、該端末装置は、該リソース予約指示情報に基づき、該時間領域リソースユニット中の第１信号を伝送するための第１物理リソースを決定し、又は該時間領域リソースユニット中のアップリンク／ダウンリンクガードインターバルによって占有される第２物理リソースを決定するステップと、を含む。
【０００６】
端末装置は、時間領域リソースユニット中に物理リソースを予約する必要があるか否かを指示するリソース予約指示情報を含むダウンリンク制御情報を受信し、リソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定する。このように端末装置はネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【０００７】
いくつかの可能な実施形態では、該ＤＣＩは、該端末装置が該時間領域リソースユニットによって該第１信号を伝送することを指示する。
【０００８】
該ＤＣＩは該端末装置が該時間領域リソースユニットによって該第１信号を伝送することを指示するためのものであってもよく、すなわち、該リソース予約指示情報は該ＤＣＩに含まれることによって、端末装置が使用リソースユニット中に物理リソースを予約する必要があるか否かを指示し、それにより端末装置は物理リソースを存分に活用でき、リソース利用率を向上させる。
【０００９】
いくつかの可能な実施形態では、該ダウンリンク制御情報は公共ダウンリンク制御情報又はグループダウンリンク制御情報であり、該公共ダウンリンク制御情報はダウンリンク制御チャネルの公共検索空間で伝送される情報であり、該グループダウンリンク制御情報は複数の端末装置を含む端末装置集合中の各端末装置に伝送される情報である。
【００１０】
該ＤＣＩはさらに公共ダウンリンク制御情報又はグループダウンリンク制御情報であってもよく、すなわち、公共ダウンリンク制御情報又はグループダウンリンク制御情報にリソース予約指示情報を含ませ、該リソース予約指示情報により、端末装置が使用リソースユニット中に物理リソースを予約する必要があるか否かを指示し、それにより端末装置は物理リソースを存分に活用でき、リソース利用率を向上させる。
【００１１】
いくつかの可能な実施形態では、該リソース予約指示情報により該端末装置が該時間領域リソースユニット中に物理リソースを予約する必要がないと指示される場合、該端末装置は該リソース予約指示情報に基づき、該時間領域リソースユニット中の第１信号を伝送するための第１物理リソースを決定し、又は該時間領域リソースユニット中のアップリンク／ダウンリンクガードインターバルによって占有される第２物理リソースを決定することは、該端末装置は該時間領域リソースユニットから該第１物理リソース又は該第２物理リソースを決定するステップを含む。
【００１２】
リソース予約指示情報により端末装置が時間領域リソースユニット中に物理リソースを予約する必要がないと指示される場合、端末装置は時間領域リソースユニット中のすべての物理リソースから第１物理リソース又は第２物理リソースを決定でき、それによりリソース利用率を向上させる。
【００１３】
いくつかの可能な実施形態では、前記リソース予約指示情報により前記端末装置が前記時間領域リソースユニット中に物理リソースを予約する必要があると指示される場合、該端末装置は該リソース予約指示情報に基づき、該時間領域リソースユニット中の第１信号を伝送するための第１物理リソースを決定し、又は前記時間領域リソースユニット中のアップリンク／ダウンリンクガードインターバルによって占有される第２物理リソースを決定することは、該端末装置は該リソース予約指示情報に基づき、該時間領域リソースユニット中の予約物理リソースを決定するステップと、該端末装置は該時間領域リソースユニット中の該予約物理リソースを除くほかの物理リソースから該第１物理リソース又は該第２物理リソースを決定するステップと、を含む。
【００１４】
端末装置はリソース予約指示情報に基づき、予約物理リソースのサイズを決定し、端末装置は時間領域リソースユニット中の予約物理リソースを除く物理リソースから第１信号を伝送するための第１リソースを決定でき、又はアップリンク／ダウンリンクインターバルによって占有される第２物理リソースを決定することができ、それによりリソース競合を回避できる。
【００１５】
いくつかの可能な実施形態では、該リソース予約指示情報により該端末装置が該時間領域リソースユニット中に物理リソースを予約する必要があると指示される場合、該リソース予約指示情報は該端末装置が予約する必要がある物理リソースの位置及び／又はサイズを含む。
【００１６】
端末装置はリソース予約指示情報に含まれる予約物理リソースの位置及び／又はサイズに基づき予約物理リソースを正確に決定でき、端末装置は時間領域リソースユニット中の予約物理リソースを除く物理リソースから第１信号を伝送するための第１リソースを決定でき、更にリソース利用率を向上させる。
【００１７】
いくつかの可能な実施形態では、前記端末装置が前記時間領域リソースユニット中の前記予約物理リソースを除くほかの物理リソースから前記第１物理リソースを決定することは、前記端末装置が前記時間領域リソースユニット中の前記予約物理リソースを除くほかの物理リソースから、前記ＤＭＲＳ信号を送信するためのＯＦＤＭシンボルの位置及び／又はＯＦＤＭシンボルの数を含む前記第１物理リソースを決定するステップを含む。
【００１８】
第１信号がＤＭＲＳ信号である場合、端末装置は時間領域リソースユニット中の予約物理リソースを除くほかの物理リソースから、該ＤＭＲＳ信号を送信するためのＯＦＤＭシンボルの位置及び／又はＯＦＤＭシンボルの数を含む第１物理リソースを決定し、すなわち端末装置は第１物理リソースを正確に決定でき、信号間の干渉を回避でき、リソース利用率を向上させる。
【００１９】
いくつかの可能な実施形態では、該方法は、該端末装置は該第１物理リソースに基づき、該第１信号にレートマッチング処理又はパンチ処理を行うステップと、該端末装置はレートマッチング処理又はパンチ処理済みの該第１信号を伝送するステップとをさらに含む。
【００２０】
端末装置は第１リソースを使用して第１信号を伝送するには、具体的には、第１物理リソースに基づき第１信号にレートマッチング処理又はパンチ処理を行い、最終的に処理済みの第１信号を送信する必要がある。
【００２１】
いくつかの可能な実施形態では、該予約物理リソースはアップリンク基準信号又はダウンリンク基準信号を伝送するための物理リソースである。
【００２２】
予約物理リソースはアップリンク基準信号を伝送してもよく、ダウンリンク基準信号を伝送してもよい。
【００２３】
いくつかの可能な実施形態では、該第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳである。
【００２４】
いくつかの可能な実施形態では、該端末装置が該リソース予約指示情報に基づき、該時間領域リソースユニット中のアップリンク／ダウンリンクガードインターバルによって占有される第２物理リソースを決定することは、該端末装置が該リソース予約指示情報に基づき、該時間領域リソースユニット中の該アップリンク／ダウンリンクガードインターバルの位置及び／又は長さを決定するステップを含む。
【００２５】
端末装置は予約指示情報に基づき第１信号を伝送する物理リソースを決定することができ、予約指示情報に基づき予約物理リソースを正確に決定でき、該予約物理リソースがアップリンク／ダウンリンクガードインターバルによって占有されると、端末装置は該アップリンク／ダウンリンクガードインターバルの位置及び／又は長さを正確に決定することができる。
【００２６】
第２態様によれば、信号伝送方法を提供し、該方法は、ネットワーク装置は、端末装置が時間領域リソースユニット中に物理リソースを予約する必要があるか否かを指示するリソース予約指示情報を含むダウンリンク制御情報ＤＣＩを決定するステップと、ネットワーク装置は該端末装置に該ダウンリンク制御情報を送信し、それにより該端末装置は該リソース予約指示情報に基づき該時間領域リソースユニット中の第１信号を伝送するための第１物理リソースを決定し、又は該時間領域リソースユニット中のアップリンク／ダウンリンクガードインターバルによって占有される第２物理リソースを決定するステップと、を含む。
【００２７】
ネットワーク装置は時間領域リソースユニット中に物理リソースを予約する必要があるか否かを指示するリソース予約指示情報を含むダウンリンク制御情報を決定し、該端末装置に該ダウンリンク制御情報を送信し、それにより該端末装置はリソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定し、このように端末装置はネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【００２８】
いくつかの可能な実施形態では、該ＤＣＩは、該端末装置が該時間領域リソースユニットによって該第１信号を伝送することを指示する。
【００２９】
いくつかの可能な実施形態では、該リソース予約指示情報により該端末装置が該時間領域リソースユニット中に物理リソースを予約する必要があると指示される場合、該リソース予約指示情報は該端末装置が予約する必要がある物理リソースの位置及び／又はサイズを含む。
【００３０】
いくつかの可能な実施形態では、該第１信号は復調基準信号ＤＭＲＳ信号であり、該第１物理リソースは該ＤＭＲＳ信号を送信するためのＯＦＤＭシンボルの位置及び／又はＯＦＤＭシンボルの数を含む。
【００３１】
いくつかの可能な実施形態では、該ダウンリンク制御情報は公共ダウンリンク制御情報又はグループダウンリンク制御情報であり、該公共ダウンリンク制御情報は公共検索空間で伝送される情報であり、該グループダウンリンク制御情報は複数の端末装置を含む端末装置集合中の各端末装置に伝送される情報である。
【００３２】
いくつかの可能な実施形態では、該予約物理リソースはアップリンク基準信号又はダウンリンク基準信号を伝送するための物理リソースである。
【００３３】
いくつかの可能な実施形態では、該第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳである。
【００３４】
第３態様によれば、端末装置を提供し、該端末装置は該第１態様に記載の方法又は第１態様のいずれかの可能な実施形態を実行する各モジュールを備える。
【００３５】
第４態様によれば、ネットワーク装置を提供し、該ネットワーク装置は該第２態様に記載の方法又は第２態様のいずれかの可能な実施形態を実行する各モジュールを備える。
【００３６】
第５態様によれば、信号伝送システムを提供し、上記第３態様に記載の端末装置及び上記第４態様に記載のネットワーク装置を備える。
【００３７】
第６態様によれば、端末装置を提供し、プロセッサ及びメモリを備え、
前記メモリはプログラムが記憶され、前記プロセッサは前記プログラムを実行し、上記第１態様又は第１態様のいずれかの可能な実施形態に記載のビーム管理方法を実行する。
【００３８】
第７態様によれば、ネットワーク装置を提供し、プロセッサ及びメモリを備え、
前記メモリはプログラムが記憶され、前記プロセッサは前記プログラムを実行し、上記第２態様又は第２態様のいずれかの可能な実施形態に記載のビーム管理方法を実行する。
【００３９】
第８態様によれば、コンピュータ記憶媒体を提供し、該コンピュータ記憶媒体に、上記第１態様又は第１態様のいずれかの可能な実施形態に記載の信号伝送方法を実行することを指示するためのプログラムコードが記憶される。
【００４０】
第９態様によれば、コンピュータ記憶媒体を提供し、該コンピュータ記憶媒体に、上記第２態様又は第２態様のいずれかの可能な実施形態に記載の信号伝送方法を実行することを指示するためのプログラムコードが記憶される。
【発明の効果】
【００４１】
上記技術案に基づき、端末装置は時間領域リソースユニット中に物理リソースを予約する必要があるか否かを指示するリソース予約指示情報を含むダウンリンク制御情報を受信し、リソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定する。このように端末装置は、ネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【図面の簡単な説明】
【００４２】
【図１】図１は本願の実施例に係る通信システムの概略図である。
【図２】図２は本願の実施例に係る信号伝送方法の概略フローチャートである。
【図３】図３は本願の一実施例に係るスロット構造の概略図である。
【図４】図４は本願の他の実施例に係るスロット構造の概略図である。
【図５】図５は本願の他の実施例に係るスロット構造の概略図である。
【図６】図６は本願の他の実施例に係る信号伝送方法の概略図である。
【図７】図７は本願の一実施例に係る端末装置の概略ブロック図である。
【図８】図８は本願の一実施例に係るネットワーク装置の概略ブロック図である。
【図９】図９は本願の実施例に係るシステムの概略ブロック図である。
【図１０】図１０は本願の一実施例に係る端末装置の構造概略図である。
【図１１】図１１は本願の一実施例に係るネットワーク装置の構造概略図である。
【発明を実施するための形態】
【００４３】
以下、本願の実施例の図面を参照して本願の実施例の技術案を説明する。
【００４４】
図１は本願の実施例に適用する通信システムの概略図である。図１に示すように、ネットワーク１００はネットワーク装置１０２及び端末装置１０４、１０６、１０８、１１０、１１２、１１４を備え、ネットワーク装置と端末装置が無線で接続される。なお、図１はネットワークが１つのネットワーク装置を備えることを例に説明するが、本願の実施例はそれに限定されるものではなく、例えば、ネットワークはより多くのネットワーク装置を備えてもよく、同様に、ネットワークはより多くの端末装置を備えてもよく、且つネットワーク装置はさらにほかの装置を備えてもよい。
【００４５】
本願は端末装置を参照して各実施例を説明する。端末装置はユーザー装置（Ｕｓｅｒ  Ｅｑｕｉｐｍｅｎｔ、ＵＥ）、アクセス端末、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、「ＰＤＡ」と略称する）、無線通信機能を有するハンドヘルドデバイス、コンピューティング装置又は無線モデムに接続されるほかの処理装置、車載装置、ウェアラブル装置、将来の５Ｇネットワークの端末装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）ネットワークの端末装置等であってもよい。
【００４６】
本願はネットワーク装置を参照して各実施例を説明する。ネットワーク装置は端末装置と通信する装置であってもよく、例えばＧＳＭ又はＣＤＭＡ中の基地局（Ｂａｓｅ  Ｔｒａｎｓｃｅｉｖｅｒ  Ｓｔａｔｉｏｎ、ＢＴＳ）、ＷＣＤＭＡシステム中の基地局（ＮｏｄｅＢ、ＮＢ）、ＬＴＥシステム中の発展型基地局（Ｅｖｏｌｕｔｉｏｎａｌ  Ｎｏｄｅ  Ｂ、ｅＮＢ又はｅＮｏｄｅＢ）、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラが挙げられ、又は該ネットワーク装置は中継局、アクセスポイント、車載装置、ウェアラブル装置及び将来の５Ｇネットワークのネットワーク装置又は将来の発展型ＰＬＭＮネットワークのネットワーク装置等であってもよい。
【００４７】
従来のＳＲＳ伝送の方式は主としてＳＲＳの周期的な伝送及びＳＲＳの非周期的な伝送を含み、ＳＲＳの周期的な伝送とは、端末装置がネットワーク装置によって予め設定された周期的なリソースでＳＲＳを所定の周期で連続的に送信することであり、ＳＲＳの非周期的な伝送とは、ネットワーク装置がトリガーシグナリングによって端末装置をトリガーしてＳＲＳ伝送を行うことであり、通常、端末装置がトリガーシグナリングを受信すると、最近のＳＲＳリソースでＳＲＳ伝送を１回行い、ＳＲＳを非周期的に伝送するＳＲＳリソース集合もネットワーク装置によってハイレイヤシグナリングを介して予め設定され、且つネットワーク装置によって設定されたＳＲＳを非周期的に伝送するＳＲＳリソース集合は、設定されたＳＲＳを周期的に伝送するＳＲＳリソース集合とはお互いに独立である。非周期的に伝送するＳＲＳリソースの柔軟性が高く、５ＧシステムでのＳＲＳの非周期的な伝送の適用範囲がより広く、本願の実施例は主要にＳＲＳを非周期的に伝送するシナリオに適用される。
【００４８】
ＳＲＳを非周期的に伝送するシナリオでは、端末装置がＳＲＳを伝送するか否かにも関わらず、ＳＲＳにＳＲＳリソースを予約する必要があり、端末装置がＳＲＳを伝送しない場合もＳＲＳリソースを予約するため、リソースの浪費を招いてしまう。
【００４９】
図２は本願の実施例の信号伝送方法２００の概略フローチャートである。該方法２００は端末装置、例えば図１中の端末装置により実行される。図２に示すように、該方法２００は、ステップＳ２１０とＳ２２０を含む。
Ｓ２１０、端末装置は、該端末装置が時間領域リソースユニット中に物理リソースを予約する必要があるか否かを指示するリソース予約指示情報を含むダウンリンク制御情報ＤＣＩを受信する。
Ｓ２２０、該端末装置は、該リソース予約指示情報に基づき、該時間領域リソースユニット中の第１信号を伝送するための第１物理リソースを決定し、又は該時間領域リソースユニット中のアップリンク／ダウンリンクガードインターバルによって占有される第２物理リソースを決定する。
【００５０】
具体的には、端末装置は、端末装置が時間領域リソースユニット中に物理リソースを予約する必要があるか否かを指示するリソース予約指示情報を含むＤＣＩを受信し、ここで、時間領域リソースユニットはサブフレーム、スロット、ミニスロット又はＯＦＤＭシンボルであってもよい。端末装置は物理リソースを予約する必要があるか否かに応じて、更に該時間領域リソースユニット中の第１信号を伝送するための第１物理リソースを決定する。このように端末装置はネットワーク装置が送信したダウンリンク制御情報に含まれるリソース予約指示情報に基づき物理リソースを予約するか否かを決定し、予約する必要がある場合に予約し、予約する必要がない場合にほかの信号に使用でき（例えば、第１信号に使用され、又はアップリンク／ダウンリンクガードインターバルによって占有される）、それにより端末装置は物理リソースを存分に活用でき、リソース利用率を向上させる。
【００５１】
また、複数の端末装置が同じ帯域幅を使用して信号を伝送すると、信号干渉が生じ、これら複数の端末装置のうち少なくとも１つの端末装置（例えば、端末装置が１つしかなく、第１端末装置と記す）がＳＲＳ信号（説明の便宜上、「ＳＲＳ信号」を例に説明するが、本願はこれに限定されない）を送信する必要があると、該端末装置のＳＲＳ信号と同じ帯域幅を使用するほかの端末装置はリソースを予約する必要があり、また、主に該第１信号への干渉を回避するように、予約するリソースはＳＲＳ信号に使用されるリソースと同じである。
【００５２】
理解すべきなのは、ネットワーク装置は１つのみのダウンリンク制御情報に該リソース予約指示情報を含ませ、端末装置の複数の連続する時間領域リソースユニットはすべて該予約指示情報に基づきリソースを予約するか否かを決定し、又はネットワーク装置は各ダウンリンク制御情報に該リソース予約指示情報を含ませ、端末装置の各リソースユニットはそれぞれ対応するリソース予約指示情報に基づきリソースを予約するか否かを決定し、本願ではそれを限定しない。
【００５３】
具体的に実施する時、前記リソース予約指示情報は時間領域リソースユニットの数の分の指示情報をさらに含んでもよく、端末装置は該時間領域リソースユニットの数の分の指示情報に基づき、後続のＮ個の時間領域リソースユニット中にリソースを予約する必要があることを決定する。
【００５４】
選択肢として、該ダウンリンク制御情報は該時間領域リソースユニットで該第１信号を伝送することを指示する。
【００５５】
該ダウンリンク制御情報は時間領域リソースユニットによって第１信号を伝送することを指示し、すなわち該ダウンリンク制御情報は第１信号のスケジューリング情報を指示するためのＤＣＩであると、端末装置は該ダウンリンク制御情報を受信した後、該ダウンリンク制御情報に基づき時間領域リソースユニットによって第１信号を伝送するが、ダウンリンク制御情報がリソース予約指示情報を含むため、端末装置は該時間領域リソースユニット中に物理リソースを予約する必要があるか否かを決定することが必要である。
【００５６】
選択肢として、該ダウンリンク制御情報は公共ダウンリンク制御情報又はグループダウンリンク制御情報であり、該公共ダウンリンク制御情報はダウンリンク制御チャネルの公共検索空間で伝送される情報であり、該グループダウンリンク制御情報は複数の端末装置を含む端末装置集合中の各端末装置に伝送される情報である。
【００５７】
具体的には、該公共ダウンリンク制御情報は、ブロードキャストしたコモン（Ｃｏｍｍｏｎ）ワイヤレスネットワーク一時識別子（Ｃｏｍｍｏｎ  Ｒａｄｉｏ  Ｎｅｔｗｏｒｋ  Ｔｅｍｐｏｒａｒｙ  Ｉｄｅｎｔｉｔｙ、ＲＮＴＩ）によってスクランブリングされ、グループダウンリンク制御情報は該端末装置集合中の各端末装置の公知のグループＲＮＴＩによってスクランブリングされる。
【００５８】
選択肢として、該リソース予約指示情報は少なくとも１つのビットを含む。端末装置とネットワーク装置は予め該少なくとも１つのビットの値とリソースを予約するか否かとのマッピング関係を設定する。例えば、該リソース予約指示情報が１つのビットを含む場合、該ビットの値が１である時、物理リソースを予約する必要があることを示し、該ビットの値が０である時、物理リソースを予約する必要がないことを示す。
【００５９】
選択肢として、該予約指示情報により端末装置が該時間領域リソースユニット中に物理リソースを予約する必要がないと指示される場合、端末装置は時間領域リソースユニットから第１信号を伝送するための第１物理リソースを決定できる。
【００６０】
選択肢として、端末装置により予約される物理リソースは、ネットワーク装置と端末装置により予め設定されたもの、又はネットワーク装置が予めハイレイヤシグナリングによって端末装置に指示したもの、又は制御情報によって端末装置に指示したものであってもよい。
【００６１】
例えば、端末装置とネットワーク装置は、予約する物理リソースが１つのスロットの最後の複数のＯＦＤＭシンボルにあること、又は１つのスロットの先頭からの複数のＯＦＤＭシンボルにあること、又は第１信号がデータである場合、該Ｎ個のＯＦＤＭシンボルはさらにデータ伝送用の最後のＮ個のＯＦＤＭシンボル等であることを予め合意してもよい。
【００６２】
選択肢として、該リソース予約指示情報により該端末装置が該時間領域リソースユニット中に物理リソースを予約する必要がないと指示される場合、端末装置は時間領域リソースユニット中のすべての物理リソースから第１物理リソース又は第２物理リソースを決定でき、それによりリソース利用率を向上させる。
【００６３】
選択肢として、端末装置はリソース予約指示情報に基づき、予約物理リソースのサイズを決定し、端末装置は時間領域リソースユニット中の予約物理リソースを除く他の物理リソースから第１信号を伝送するための第１物理リソース及びアップリンク／ダウンリンクガードインターバルによって占有される第２物理リソースを決定できることで、ほかの信号との競合を回避し、リソース利用率を向上させる。
【００６４】
選択肢として、端末装置が制御情報によって端末装置の物理リソースを予約するのを指示することは、端末装置が予約の必要があ物理リソースの位置及び／又はサイズを含む予約指示情報を制御情報に含ませるようにしてもよい。このように端末装置は予約物理リソースを正確に決定でき、更に時間領域リソースユニット中の予約物理リソースを除くほかの物理リソースから第１信号を伝送するための第１リソースを正確に決定でき、それにより更にリソース利用率を向上させる。
【００６５】
選択肢として、第１信号がＤＭＲＳ信号である場合、端末装置は時間領域リソースユニット中の予約物理リソースを除くほかの物理リソースから、該ＤＭＲＳ信号を伝送するためのＯＦＤＭシンボルの位置及び／又はＯＦＤＭシンボルの数を含む第１物理リソースを決定し、すなわち端末装置は該ＤＭＲＳ信号を伝送するためのＯＦＤＭシンボルを正確に決定でき、信号間の干渉を回避し、リソース利用率を向上させる。
【００６６】
例えば、予約したＳＲＳ伝送用のリソースが１つのＯＦＤＭシンボルを占有する場合、前記時間領域リソースユニットはＳＲＳリソースを予約していない時間領域リソースユニットよりも１つのＯＦＤＭシンボルのＤＭＲＳ少なく、このように、ＳＲＳのリソースを予約したが、データ伝送のリソースを損なわない。他の実施例では、リソースを予約した時間領域リソースユニット中のとリソースを予約していない時間領域リソースユニット中のＤＭＲＳパターン又はＤＭＲＳ時間領域密度は異なる。
【００６７】
選択肢として、本願の実施例における物理リソースは時間領域リソースユニットに含まれるすべての時間周波数物理リソースのうちの一部の時間領域リソース又は周波数領域リソースであってもよい。
【００６８】
具体的には、該物理リソースが時間領域リソースである場合、該時間領域リソースは時間領域リソースユニットに含まれるスロット、ミニスロット又はＯＦＤＭシンボル等であってもよく、該物理リソースが周波数領域リソースである場合、具体的には、ｃｏｍｂに対応する周波数領域リソース、又はあるＰＲＢ集合又はサブキャリア集合あってもよく、本願ではそれを限定しない。
【００６９】
選択肢として、時間領域リソースユニットがＭ個のＯＦＤＭシンボルを含む場合、該予約指示情報は該端末装置がＮ（ＮはＭ以下の整数）個のＯＦＤＭシンボルを予約する必要があること及び／又は該Ｎ個のＯＦＤＭシンボルの位置を含む。
【００７０】
理解すべきなのは、予約指示情報により端末装置がＮ個のＯＦＤＭシンボルを予約する必要があると指示される場合、該Ｎ個のＯＦＤＭシンボルは該Ｍ個のＯＦＤＭシンボルのうち最後のＮ個であってもよく、先頭からのＮ個であってもよい。又は該第１信号がデータである場合、該Ｎ個のＯＦＤＭシンボルはデータ伝送に使用できる最後のＮ個のＯＦＤＭシンボルであってもよく、本願ではそれを限定しない。
【００７１】
選択肢として、該リソース予約指示情報は少なくとも１つのビットを含み、端末装置とネットワーク装置は該少なくとも１つのビットの値とＯＦＤＭシンボルを予約しないこと又は予約するＯＦＤＭシンボルの数及び／又は位置とのマッピング関係を予め設定してもよい。例えば、該リソース予約指示情報は２つのビットを含み、これら２つのビットの値が０である時、ＯＦＤＭシンボルを予約する必要がないことを示し、値が１である時、１つのＯＦＤＭシンボルを予約する必要があることを示し、値が２である時、２つのＯＦＤＭシンボルを予約する必要があることを示し、値が３である時、３つのＯＦＤＭシンボルを予約する必要があることを示す。
【００７２】
理解すべきなのは、該リソース予約指示情報はさらに３つのビットを含んでもよく、ビットマップ（ｂｉｔｍａｐ）の方式によってどちらのＯＦＤＭシンボルを予約するかを指示し、本願ではそれを限定しない。
【００７３】
選択肢として、端末装置は第１物理リソースに基づき該第１信号にレートマッチング処理又はパンチ処理を行い、更に処理済みの第１信号を送信する。端末装置が物理リソースを予約して得た第１物理リソースと物理リソースを予約せずに得た第１物理リソースによって、第１信号を処理して得た時間領域密度又はパターンは異なるが、第１信号のデータ伝送に支障をもたらすことがない。
【００７４】
例えば、端末装置はＮ個のＯＦＤＭシンボルのリソースを予約する必要があると決定すると、予約指示情報により端末装置がＮ個のＯＦＤＭシンボルを予約すると指示される場合に得た第１物理リソースは、予約指示情報により端末装置がＯＦＤＭシンボルを予約しないと指示される場合に得た第１物理リソースよりもＮ個のＯＦＤＭシンボル少ない。
【００７５】
選択肢として、端末装置が予約する物理リソースは制御チャネルの伝送に用いられる場合、端末装置は予約するリソースに基づき、制御チャネルにレートマッチング又はパンチ処理を行う。
【００７６】
選択肢として、該第１信号は、データチャネルであってもよく、制御チャネルであってもよく、ＳＲＳ、チャネル状態指示基準信号（Ｃｈａｎｎｅｌ  Ｓｔａｔｅ  Ｉｎｄｉｃａｔｉｏｎ  ＲＳ、ＣＳＩ−ＲＳ）、復調基準信号（ＤＭＲＳ）、位相トラッキング信号（Ｐｈａｓｅ  Ｔｒａｃｋｉｎｇ  Ｓｉｇｎａｌ、ＰＴＳ）、又はビーム基準信号（Ｂｅａｍ  ｓｐｅｃｉｆｉｃ  Ｓｉｇｎａｌ、ＢＲＳ）等であってもよい。具体的には、データチャネルは物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）又は物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）であってもよく、制御チャネルは物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、物理ダウンリンク制御チャネル（（Ｐｈｙｓｉｃａｌ  Ｄｏｗｎｌｉｎｋ  Ｃｏｎｔｒｏｌ  Ｃｈａｎｎｅｌ、ＰＤＣＣＨ）であってもよい。
【００７７】
選択肢として、第１信号がＤＭＲＳである場合、第１物理リソースは該ＤＭＲＳ信号を送信するためのＯＦＤＭシンボルの位置及び／又はＯＦＤＭシンボルの数を含む。
【００７８】
選択肢として、該予約物理リソースはアップリンク基準信号又はダウンリンク基準信号を伝送するための物理リソースであってもよい。
【００７９】
選択肢として、前記アップリンク基準信号はＳＲＳであってもよく、前記ダウンリンク基準信号はＣＳＩ−ＲＳであってもよい。アップリンク基準信号又はダウンリンク基準信号を伝送するための前記予約リソースは、必ずしも前記端末装置の基準信号伝送に使用されず、ほかの端末の基準信号伝送に使用されるの予約される可能性があり、それによりほかの端末が動的にスケジューリングされた非周期的な基準信号を有する場合、非周期的な基準信号とほかの信号との相互干渉を回避できる。
【００８０】
選択肢として、該端末装置は、該リソース予約指示情報に基づき、該時間領域リソースユニット中の該アップリンク／ダウンリンクガードインターバルの位置及び／又は長さを決定できる。
【００８１】
例えば、第１信号がＰＤＳＣＨであり、時間領域リソースユニットにアップリンク信号とダウンリンク信号が同時に存在する場合、アップリンク信号とダウンリンク信号の間にアップリンク／ダウンリンクガードインターバル（ＧＡＰで示される）が設定され、該ガードインターバルは端末装置によるアップリンク／ダウンリンク伝送の切替に用いられる。端末装置が物理リソースを予約する必要がない場合、ＧＡＰの位置は図３に示され、該スロット構造はさらに物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）とＰＵＣＣＨを伝送することに用いられ、本願ではそれを限定しない。端末装置が物理リソースを予約する必要がある場合、ＰＤＳＣＨを伝送するための物理リソースの一部を第１信号に割り当て、この時、ＧＡＰの位置と長さは図４に示され、また、図４中のスロット構造はさらにＰＤＣＣＨとＰＵＣＣＨを伝送することに用いられる。図３及び図４から分かるように、端末装置は物理リソースを予約する必要があるか否かに応じて、ＧＡＰの位置及び長さを決定する。
【００８２】
また、端末装置が予約する物理リソースはＰＵＣＣＨの後にあってもよく、この場合、ＧＡＰとＰＵＣＣＨを前へ移動させる必要がある一方、ＰＵＣＣＨの前（図５に示される）にあってもよく、この場合、ＧＡＰを前へ移動させる必要があり、予約する物理リソースが伝送データに使用されていない場合、予約する物理リソースをＧＡＰとすることに相当し、すなわちＧＡＰを拡張し、明らかに、この場合、アップリンク／ダウンリンクガードインターバルの長さは図４中のアップリンク／ダウンリンクガードインターバルよりも長い。
【００８３】
以下、具体例を参照して本願の実施例を説明するが、本願ではそれを限定しない。端末装置とネットワーク装置は予約リソースが１つのスロットの最後の１つのＯＦＤＭシンボルを占有し、且つダウンリンク制御情報が１つのＰＵＳＣＨの伝送をスケジューリングすることに用いられ、ダウンリンク制御情報にＳＲＳにリソースを予約する必要があるか否かを示す１つのビットが含まれることを予め合意している。該ビットの値はＳＲＳにリソースを予約する必要があることを指示すると、ＰＵＳＣＨを伝送するスロット中の最後の１つのＯＦＤＭシンボルを予約する必要があり、該スロット中の最後の１つのＯＦＤＭシンボルを除くＯＦＤＭシンボルに基づきＰＵＳＣＨにレートマッチングを行う。該ビットの値はＳＲＳにリソースを予約する必要がないことを指示すると、該スロットで物理リソースを予約せず、端末装置は該スロットに基づきＰＵＳＣＨにレートマッチングを行う。最後の１つのシンボルをレートマッチングされた後のＰＵＳＣＨのＤＭＲＳは、レートマッチングされていないＰＵＳＣＨよりも前へ１つのＯＦＤＭシンボル移動し、例えば、ＳＲＳリソースを予約していないスロットでは、ＤＭＲＳが最後の１つのＯＦＤＭシンボルを占有し、リソースを予約したスロットでは、ＤＭＲＳが最後から２番目のＯＦＤＭシンボルを占有する。このように、最後の１つのシンボルをレートマッチングされた後のＰＵＳＣＨは、ほかの端末が送信した非周期ＳＲＳ信号とリソース競合が生じることがなく、相互干渉を回避する。また、ＤＭＲＳをシフトすることで、ＤＭＲＳとＳＲＳのリソース競合を回避できる。
【００８４】
以下、他の実施例を例示する。ネットワーク側はＤＣＩで１つのＰＤＳＣＨ伝送をスケジューリングし、前記ＤＣＩはＳＲＳリソース予約指示情報を含む。前記ＳＲＳリソース予約指示情報はＰＤＳＣＨの位置するスロット中に予約するＳＲＳ用のＯＦＤＭシンボルの数を指示することに用いられ、２ビット情報でそれぞれ０、１、２、３個のＳＲＳシンボルを指示し、０個のシンボルはリソース予約を行わないことを示す。ネットワーク側は該指示情報によってＳＲＳに予約するＯＦＤＭシンボルの数がＮであると決定し、ＰＤＳＣＨにレートマッチングを行う。一実施形態では、端末装置は後続のＰＵＣＣＨとＧＡＰを前へＮ個のＯＦＤＭシンボル移動させ、前記スロットの最後のＮ個のＯＦＤＭシンボルをＳＲＳに予約する。他の実施形態では、端末はＰＵＣＣＨを移動せずに、ＰＵＣＣＨの前のＮ個のＯＦＤＭシンボルをＳＲＳに予約し、ＰＤＳＣＨとＰＵＣＣＨの間のＧＡＰを前へＮ個のＯＦＤＭシンボル移動させる。すなわち、端末装置はリソース予約指示情報に基づき、ＧＡＰの位置及び／又は長さを決定できる。
【００８５】
従って、本願の実施例に係る信号伝送方法によれば、端末装置は時間領域リソースユニット中に物理リソースを予約する必要があるか否かを指示するリソース予約指示情報を含むダウンリンク制御情報を受信し、リソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定する。このように端末装置は、ネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【００８６】
図６は本願の実施例に係る信号伝送方法６００の概略フローチャートである。該方法６００はネットワーク装置、例えば、図１中のネットワーク装置１０２によって実行される。図６に示すように、該方法６００は、ステップＳ６１０とＳ６２０を含む。
Ｓ６１０、ネットワーク装置は、端末装置が時間領域リソースユニット中に物理リソースを予約する必要があるか否かを指示するリソース予約指示情報を含むダウンリンク制御情報ＤＣＩを決定する。
Ｓ６２０、ネットワーク装置は該端末装置に該ダウンリンク制御情報を送信し、それにより該端末装置は該リソース予約指示情報に基づき該時間領域リソースユニット中の第１信号を伝送するための第１物理リソースを決定し、又は該時間領域リソースユニット中のアップリンク／ダウンリンクガードインターバルによって占有される第２物理リソースを決定する。
【００８７】
ネットワーク装置は端末装置が予約物理リソースを占有して信号を送信するか否か、又はリソース競合等の有無に応じて、端末装置にリソース予約指示情報を設定し、ダウンリンク制御情報によって端末装置に送信し、端末装置は該リソース予約指示情報を含むダウンリンク制御情報を受信し、物理リソースを予約する必要があるか否かを決定し、物理リソースを予約する必要がある場合に予約し、物理リソースを予約する必要がない場合にほかの信号に使用できる。すなわち、端末装置はネットワーク装置の指示に応じて物理リソースを予約するか否かを決定することで、従来の技術案での常にリソースを予約していることを回避し、それにより端末装置は物理リソースを存分に活用でき、リソース利用率を向上させる。
【００８８】
選択肢として、該ＤＣＩは、該端末装置が該時間領域リソースユニットによって該第１信号を伝送することを指示する。
【００８９】
選択肢として、該リソース予約指示情報により該端末装置が該時間領域リソースユニット中に物理リソースを予約する必要があると指示される場合、該リソース予約指示情報は該端末装置が予約する必要がある物理リソースの位置及び／又はサイズを含む。
【００９０】
選択肢として、該第１信号は復調基準信号ＤＭＲＳ信号であり、該第１物理リソースは該ＤＭＲＳ信号を送信するためのＯＦＤＭシンボルの位置及び／又はＯＦＤＭシンボルの数を含む。
【００９１】
選択肢として、該ダウンリンク制御情報は公共ダウンリンク制御情報又はグループダウンリンク制御情報であり、該公共ダウンリンク制御情報は公共検索空間で伝送される情報であり、該グループダウンリンク制御情報は複数の端末装置を含む端末装置集合中の各端末装置に伝送される情報である。
【００９２】
選択肢として、該予約物理リソースはアップリンク基準信号又はダウンリンク基準信号を伝送するための物理リソースである。
【００９３】
選択肢として、該第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳである。
【００９４】
理解すべきなのは、本願の実施例では、ネットワーク装置側について説明されるネットワーク装置と端末装置とのインタラクション及び関連特性、機能等は端末装置側についての説明と対応し、簡潔にするために、ここで詳細説明を省略する。
【００９５】
さらに理解すべきなのは、本願の種々の実施例では、上記各手順の番号の大きさは実行順序を示すものではなく、各手順の実行順序はその機能及び内部ロジックによって決定され、本願の実施例の実施プロセスを限定するものではない。
【００９６】
従って、本願の実施例に係る信号伝送方法によれば、ネットワーク装置は時間領域リソースユニット中に物理リソースを予約する必要があるか否かを指示するリソース予約指示情報を含むダウンリンク制御情報を決定し、該端末装置に該ダウンリンク制御情報を送信し、それにより該端末装置はリソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定し、このように端末装置はネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【００９７】
以上、本願の実施例に係る信号伝送方法を詳細に説明したが、以下、本願の実施例に係るネットワーク装置及び端末装置を説明する。理解すべきなのは、本願の実施例に係るネットワーク装置及び端末装置は上記本願の実施例に係る各種の方法を実行でき、すなわち下記の各種の装置の具体的な動作プロセスは、上記方法の実施例の対応するプロセスを参照すればよい。
【００９８】
図７は本願の実施例に係る端末装置７００の概略ブロック図を示し、図７に示すように、該端末装置７００は、
該端末装置が時間領域リソースユニット中に物理リソースを予約する必要があるか否かを指示するリソース予約指示情報を含むダウンリンク制御情報ＤＣＩを受信する伝送モジュール７１０と、
該リソース予約指示情報に基づき、該時間領域リソースユニット中の第１信号を伝送するための第１物理リソースを決定し、又は該時間領域リソースユニット中のアップリンク／ダウンリンクガードインターバルによって占有される第２物理リソースを決定する処理モジュール７２０と、を備える。
【００９９】
選択肢として、該ＤＣＩは、該端末装置が該時間領域リソースユニットによって該第１信号を伝送することを指示する。
【０１００】
選択肢として、該リソース予約指示情報により該端末装置が該時間領域リソースユニット中に物理リソースを予約する必要があると指示される場合、該リソース予約指示情報は該端末装置が予約する必要がある物理リソースの位置及び／又はサイズを含む。
【０１０１】
選択肢として、前記リソース予約指示情報により前記端末装置が前記時間領域リソースユニット中に物理リソースを予約する必要がないと指示される場合、該処理モジュール７２０は具体的には、前記時間領域リソースユニットから前記第１物理リソース又は前記第２物理リソースを決定する。
【０１０２】
選択肢として、前記リソース予約指示情報により前記端末装置が前記時間領域リソースユニット中に物理リソースを予約する必要があると指示される場合、該処理モジュール７２０は具体的には、該リソース予約指示情報に基づき、該時間領域リソースユニット中の予約物理リソースを決定し、該時間領域リソースユニット中の該予約物理リソースを除くほかの物理リソースから該第１物理リソース又は第２物理リソースを決定する。
【０１０３】
選択肢として、該第１信号は復調基準信号ＤＭＲＳ信号であり、該処理モジュールは具体的には、該時間領域リソースユニット中の該予約物理リソースを除くほかの物理リソースから、該ＤＭＲＳ信号を送信するためのＯＦＤＭシンボルの位置及び／又はＯＦＤＭシンボルの数を含む該第１物理リソースを決定する。
【０１０４】
選択肢として、該ダウンリンク制御情報は公共ダウンリンク制御情報又はグループダウンリンク制御情報であり、該公共ダウンリンク制御情報は公共検索空間で伝送される情報であり、該グループダウンリンク制御情報は複数の端末装置を含む端末装置集合中の各端末装置に伝送される情報である。
【０１０５】
選択肢として、該処理モジュール７２０はさらに、該第１物理リソースに基づき、該第１信号にレートマッチング処理又はパンチ処理を行い、該伝送モジュール７１０はさらに、レートマッチング処理又はパンチ処理済みの該第１信号を伝送する。
【０１０６】
選択肢として、該予約物理リソースはアップリンク基準信号又はダウンリンク基準信号を伝送するための物理リソースである。
【０１０７】
選択肢として、該第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳである。
【０１０８】
選択肢として、該処理モジュール７２０は具体的には、該リソース予約指示情報に基づき、該時間領域リソースユニット中の該アップリンク／ダウンリンクガードインターバルの位置及び／又は長さを決定する。
【０１０９】
従って、本願の実施例に係る端末装置によれば、時間領域リソースユニット中に物理リソースを予約する必要があるか否かを指示するリソース予約指示情報を含むダウンリンク制御情報を受信し、リソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定する。このように端末装置は、ネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【０１１０】
図８は本願の実施例に係るネットワーク装置８００の概略ブロック図を示し、図８に示すように、該ネットワーク装置８００は、
端末装置が時間領域リソースユニット中に物理リソースを予約する必要があるか否かを指示するリソース予約指示情報を含むダウンリンク制御情報ＤＣＩを決定する処理モジュール８１０と、
該処理モジュール８１０により決定された該ダウンリンク制御情報を該端末装置に送信し、それにより該端末装置は該リソース予約指示情報に基づき該時間領域リソースユニット中の第１信号を伝送するための第１物理リソースを決定し、又は該時間領域リソースユニット中のアップリンク／ダウンリンクガードインターバルによって占有される第２物理リソースを決定する伝送モジュール８２０と、を備える。
【０１１１】
選択肢として、該ＤＣＩは、該端末装置が該時間領域リソースユニットによって該第１信号を伝送することを指示する。
【０１１２】
選択肢として、該リソース予約指示情報により該端末装置が該時間領域リソースユニット中に物理リソースを予約する必要があると指示される場合、該リソース予約指示情報は該端末装置が予約する必要がある物理リソースの位置及び／又はサイズを含む。
【０１１３】
選択肢として、該第１信号は復調基準信号ＤＭＲＳ信号であり、該第１物理リソースは該ＤＭＲＳ信号を送信するためのＯＦＤＭシンボルの位置及び／又はＯＦＤＭシンボルの数を含む。
【０１１４】
選択肢として、該ダウンリンク制御情報は公共ダウンリンク制御情報又はグループダウンリンク制御情報であり、該公共ダウンリンク制御情報は公共検索空間で伝送される情報であり、該グループダウンリンク制御情報は複数の端末装置を含む端末装置集合中の各端末装置に伝送される情報である。
【０１１５】
選択肢として、該予約物理リソースはアップリンク基準信号又はダウンリンク基準信号を伝送するための物理リソースである。
【０１１６】
選択肢として、該第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳである。
【０１１７】
従って、本願の実施例に係るネットワーク装置によれば、時間領域リソースユニット中に物理リソースを予約する必要があるか否かを指示するリソース予約指示情報を含むダウンリンク制御情報を決定し、該端末装置に該ダウンリンク制御情報を送信し、それにより該端末装置はリソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定し、このように、端末装置はネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【０１１８】
図９は本願の実施例に係る信号伝送システム９００の概略ブロック図を示す。該システム９００は、上記本願の実施例に係る端末装置７００及び上記本願の実施例に係るネットワーク装置８００を備える。
【０１１９】
図１０は本願の実施例に係る端末装置の構造概略図を示す。図１０に示すように、該端末装置は少なくとも１つのプロセッサ１００２（例えば、計算及び処理能力を有する汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）等）を備え、プロセッサ１００２は端末装置内の各モジュールとデバイスに対して管理とスケジューリングを行う。図７に示される実施例の処理モジュール７２０はプロセッサ１００２によって実現される。該端末装置は、少なくとも１つの送受信機１００５（受信機／送信機）、及びメモリ１００６をさらに備える。図７に示される実施例の伝送モジュール７１０は送受信機１００５によって実現される。伝送モジュール７１０の各ユニットは内部接続通路によって相互通信し、制御及び／又はデータ信号を伝送する。
【０１２０】
上記本願の実施例に開示されている方法はプロセッサ１００２に適用でき、又はメモリ１００６に記憶される実行可能モジュール、例えばコンピュータプログラムを実行することに用いられる。メモリ１００６は高速ランダムアクセスメモリ（ＲＡＭ、Ｒａｎｄｏｍ  Ａｃｃｅｓｓ  Ｍｅｍｏｒｙ）を含んでもよく、不揮発性メモリ（ｎｏｎ−ｖｏｌａｔｉｌｅ  ｍｅｍｏｒｙ）をさらに含んでもよく、メモリは読み出し専用メモリ及びランダムアクセスメモリを含み、プロセッサに必要なシグナリング又はデータ、プログラム等を提供する。メモリの一部は不揮発性ランダムアクセスメモリ（ＮＶＲＡＭ）をさらに含んでもよい。少なくとも１つの送受信機１００５（有線又は無線）によって少なくとも１つのほかのネットワークエレメントとの通信接続を実現する。
【０１２１】
いくつかの実施形態では、メモリ１００６はプログラム１００６１が記憶され、プロセッサ１００２はプログラム１００６１を実行して、
送受信機１００５によって、該端末装置が時間領域リソースユニット中に物理リソースを予約する必要があるか否かを指示するリソース予約指示情報を含むダウンリンク制御情報ＤＣＩを受信し、
該リソース予約指示情報に基づき、該時間領域リソースユニット中の第１信号を伝送するための第１物理リソースを決定し、又は該時間領域リソースユニット中のアップリンク／ダウンリンクガードインターバルによって占有される第２物理リソースを決定する作業を実行する。
【０１２２】
なお、該端末装置は具体的には、図７に示される実施例に係る端末装置であってもよく、図２に示される方法の実施例中の端末装置に対応する各ステップ及び／又はプロセスを実行できる。
【０１２３】
本願の実施例に係る上記技術案からわかるように、端末装置は時間領域リソースユニット中に物理リソースを予約する必要があるか否かを指示するリソース予約指示情報を含むダウンリンク制御情報を受信し、リソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定する。このように端末装置は、ネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【０１２４】
図１１は本願の実施例に係るネットワーク装置の構造概略図を示す。図１１に示すように、該ネットワーク装置は少なくとも１つのプロセッサ１１０２（例えば、計算及び処理能力を有する汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）等）を備え、プロセッサ１１０２はネットワーク装置内の各モジュールとデバイスに対して管理とスケジューリングを行う。図８に示される実施例に係る処理モジュール８１０はプロセッサ１１０２によって実現される。該ネットワーク装置は少なくとも１つの送受信機１１０５（受信機／送信機１１０５）、メモリ１１０６をさらに備える。ネットワーク装置の各ユニットは内部接続通路によって相互通信し、制御及び／又はデータ信号を伝送する。
【０１２５】
上記本願の実施例に開示されている方法はプロセッサ１１０２に適用でき、又はメモリ１１０６に記憶される実行可能モジュール、例えばコンピュータプログラムを実行することに用いられる。メモリ１１０６は高速ランダムアクセスメモリ（ＲＡＭ、Ｒａｎｄｏｍ  Ａｃｃｅｓｓ  Ｍｅｍｏｒｙ）を含んでもよく、不揮発性メモリ（ｎｏｎ−ｖｏｌａｔｉｌｅ  ｍｅｍｏｒｙ）をさらに含んでもよく、メモリは読み出し専用メモリ及びランダムアクセスメモリを含み、プロセッサに必要なシグナリング又はデータ、プログラム等を提供する。メモリの一部は不揮発性ランダムアクセスメモリ（ＮＶＲＡＭ）をさらに含んでもよい。少なくとも１つの送受信機１１０５（有線又は無線）によって少なくとも１つのほかのネットワークエレメントとの通信接続を実現する。
【０１２６】
いくつかの実施形態では、メモリ１１０６はプログラム１１０６１が記憶され、プロセッサ１１０２はプログラム１１０６１を実行して、
端末装置が時間領域リソースユニット中に物理リソースを予約する必要があるか否かを指示するリソース予約指示情報を含むダウンリンク制御情報ＤＣＩを決定し、
送受信機１１０５によって、該端末装置に該ダウンリンク制御情報を送信し、それにより該端末装置は該リソース予約指示情報に基づき該時間領域リソースユニット中の第１信号を伝送するための第１物理リソースを決定し、又は該時間領域リソースユニット中のアップリンク／ダウンリンクガードインターバルによって占有される第２物理リソースを決定する作業を実行する。
【０１２７】
なお、該ネットワーク装置は具体的には、図８に示される実施例に係るネットワーク装置であってもよく、図６に示される方法の実施例中のネットワーク装置に対応する各ステップ及び／又はプロセスを実行できる。
【０１２８】
本願の実施例に係る上記技術案からわかるように、ネットワーク装置は、時間領域リソースユニット中に物理リソースを予約する必要があるか否かを指示するリソース予約指示情報を含むダウンリンク制御情報を決定し、該端末装置に該ダウンリンク制御情報を送信し、それにより該端末装置はリソース予約指示情報に基づき時間領域リソースユニット中の第１信号を伝送するための第１物理リソースを決定し、又は該時間領域リソースユニット中のアップリンク／ダウンリンクガードインターバルによって占有される第２物理リソースを決定し、このように端末装置は、ネットワーク装置が送信したダウンリンク制御情報に含まれるリソース予約指示情報に基づき、物理リソースを予約するか否かを決定し、物理リソースを予約する必要がある場合に予約し、物理リソースを予約する必要がない場合にほかの信号に使用でき、それにより端末装置は物理リソースを存分に活用でき、リソース利用率を向上させる。
【０１２９】
本願の実施例はコンピュータ記憶媒体をさらに提供し、該コンピュータ記憶媒体は上記いずれかの方法を指示するためのプログラム命令を記憶できる。
【０１３０】
選択肢として、該記憶媒体は具体的にはメモリ１００６又は１１０６であってもよい。
【０１３１】
なお、本明細書では、用語「及び／又は」は、単に関連対象の関連関係を説明するものであり、３種の関係が存在することを示し、例えば、Ａ及び／又はＢの場合、Ａのみが存在すること、ＡとＢが同時に存在すること、及びＢのみが存在することを示す。また、本明細書では、文字「／」は、一般には、前後の関連対象が「又は」の関係を有することを示す。
【０１３２】
理解すべきなのは、本願の種々の実施例では、上記各手順の番号の大きさは実行順序を示すものではなく、各手順の実行順序はその機能及び内部ロジックによって決定され、本願の実施例の実施プロセスを限定するものではない。
【０１３３】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は各特定のアプリケーションに対して異なる方法で説明された機能を実現することができるが、このような実現は本発明の範囲を超えると考えられない。
【０１３４】
当業者であれば、説明の便宜及び簡潔のため、上記説明したシステム、装置及びユニットの具体的なプロセスは、上記方法の実施例の対応するプロセスを参照すればよいため、ここで詳細説明を省略する。
【０１３５】
本願により提供されるいくつかの実施例では、開示されているシステム、装置及び方法をほかの形態で実現できると理解すべきである。例えば、以上説明された装置の実施例は単に例示的なものであり、例えば、該ユニットの分割は、単に１種のロジック機能分割であり、実際の実現時に他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１３６】
該分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分布してもよい。実際の必要に応じて一部又はすべてのユニットを選択して本実施例の技術案の目的を実現することができる。
【０１３７】
また、本願の実施例の各々における各機能ユニットは１つの処理ユニットに集積されてもよく、別々に物理的に存在してもよく、２つ又は２つ以上のユニットは１つのユニットに集積されてもよい。
【０１３８】
該機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で表現することができ、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどプロクラムコードを記憶可能な種々の媒体を含む。
【０１３９】
以上、本願の具体的な実施形態を説明したが、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2020516095.tif 000003
【図２】
2020516095.tif 000004
【図３】
2020516095.tif 000005
【図４】
2020516095.tif 000006
【図５】
2020516095.tif 000007
【図６】
2020516095.tif 000008
【図７】
2020516095.tif 000009
【図８】
2020516095.tif 000010
【図９】
2020516095.tif 000011
【図１０】
2020516095.tif 000012
【図１１】
2020516095.tif 000013
【手続補正書】
【提出日】令和1年12月3日(2019.12.3)
【手続補正１】
【補正対象書類名】明細書
【補正対象項目名】０００８
【補正方法】変更
【補正の内容】
【０００８】
該ＤＣＩは該端末装置が該時間領域リソースユニットによって該第１信号を伝送することを指示するためのものであってもよく、すなわち、該リソース予約指示情報は該ＤＣＩに含まれることによって、端末装置が時間領域リソースユニット中に物理リソースを予約する必要があるか否かを指示し、それにより端末装置は物理リソースを存分に活用でき、リソース利用率を向上させる。
【手続補正２】
【補正対象書類名】明細書
【補正対象項目名】００１０
【補正方法】変更
【補正の内容】
【００１０】
該ＤＣＩはさらに公共ダウンリンク制御情報又はグループダウンリンク制御情報であってもよく、すなわち、公共ダウンリンク制御情報又はグループダウンリンク制御情報にリソース予約指示情報を含ませ、該リソース予約指示情報により、端末装置が時間領域リソースユニット中に物理リソースを予約する必要があるか否かを指示し、それにより端末装置は物理リソースを存分に活用でき、リソース利用率を向上させる。
【手続補正３】
【補正対象書類名】明細書
【補正対象項目名】００３７
【補正方法】変更
【補正の内容】
【００３７】
第６態様によれば、端末装置を提供し、プロセッサ及びメモリを備え、
前記メモリはプログラムが記憶され、前記プロセッサは前記プログラムを実行し、上記第１態様又は第１態様のいずれかの可能な実施形態に記載の信号伝送方法を実行する。
【手続補正４】
【補正対象書類名】明細書
【補正対象項目名】００３８
【補正方法】変更
【補正の内容】
【００３８】
第７態様によれば、ネットワーク装置を提供し、プロセッサ及びメモリを備え、
前記メモリはプログラムが記憶され、前記プロセッサは前記プログラムを実行し、上記第２態様又は第２態様のいずれかの可能な実施形態に記載の信号伝送方法を実行する。
【手続補正５】
【補正対象書類名】明細書
【補正対象項目名】００６３
【補正方法】変更
【補正の内容】
【００６３】
選択肢として、リソース予約指示情報に基づき、予約物理リソースのサイズを決定し、端末装置は時間領域リソースユニット中の予約物理リソースを除く他の物理リソースから第１信号を伝送するための第１物理リソース及びアップリンク／ダウンリンクガードインターバルによって占有される第２物理リソースを決定できることで、ほかの信号との競合を回避し、リソース利用率を向上させる。
【手続補正６】
【補正対象書類名】図面
【補正対象項目名】図２
【補正方法】変更
【補正の内容】
【図２】
2020516095.tif 000014
【手続補正７】
【補正対象書類名】特許請求の範囲
【補正対象項目名】全文
【補正方法】変更
【補正の内容】
【特許請求の範囲】
【請求項１】
信号伝送方法であって、
端末装置は、前記端末装置が時間領域リソースユニット中に物理リソースを予約する必要があるか否かを指示するリソース予約指示情報を含むダウンリンク制御情報ＤＣＩを受信するステップと、
前記端末装置は、前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定するステップと、を含むことを特徴とする信号伝送方法。
【請求項２】
前記ＤＣＩは、前記端末装置が前記時間領域リソースユニットによって前記第１信号を伝送することを指示することを特徴とする請求項１に記載の方法。
【請求項３】
前記ダウンリンク制御情報は公共ダウンリンク制御情報又はグループダウンリンク制御情報であり、前記公共ダウンリンク制御情報はダウンリンク制御チャネルの公共検索空間で伝送される情報であり、前記グループダウンリンク制御情報は複数の端末装置を含む端末装置集合中の各端末装置に伝送される情報であることを特徴とする請求項１に記載の方法。
【請求項４】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項１〜３のいずれか一項に記載の方法。
【請求項５】
前記リソース予約指示情報により前記端末装置が前記時間領域リソースユニット中に物理リソースを予約する必要があると指示される場合、前記端末装置は前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定することは、
前記端末装置は前記リソース予約指示情報に基づき、前記時間領域リソースユニット中の予約物理リソースを決定するステップと、
前記端末装置は前記時間領域リソースユニット中の前記予約物理リソースを除くほかの物理リソースから前記第１物理リソース、又は前記第２物理リソースを決定するステップと、を含むことを特徴とする請求項１〜４のいずれか一項に記載の方法。
【請求項６】
前記端末装置は前記第１物理リソースに基づき、前記第１信号にレートマッチング処理又はパンチ処理を行うステップと、
前記端末装置はレートマッチング処理又はパンチ処理済みの前記第１信号を伝送するステップと、をさらに含むことを特徴とする請求項１〜５のいずれか一項に記載の方法。
【請求項７】
前記第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳであることを特徴とする請求項１〜６のいずれか一項に記載の方法。
【請求項８】
前記端末装置は前記リソース予約指示情報に基づき、前記時間領域リソースユニット中のアップリンク／ダウンリンクガードインターバルによって占有される第２物理リソースを決定することは、
前記端末装置は前記リソース予約指示情報に基づき、前記時間領域リソースユニット中の前記アップリンク／ダウンリンクガードインターバルの位置及び／又は長さを決定するステップを含むことを特徴とする請求項１〜５のいずれか一項に記載の方法。
【請求項９】
信号伝送方法であって、
ネットワーク装置は、端末装置が時間領域リソースユニット中に物理リソースを予約する必要があるか否かを指示するリソース予約指示情報を含むダウンリンク制御情報ＤＣＩを決定するステップと、
ネットワーク装置は前記端末装置に前記ダウンリンク制御情報を送信し、それにより前記端末装置は前記リソース予約指示情報に基づき前記時間領域リソースユニット中の第１信号を伝送するための第１物理リソースを決定し、又は前記時間領域リソースユニット中のアップリンク／ダウンリンクガードインターバルによって占有される第２物理リソースを決定するステップと、を含むことを特徴とする信号伝送方法。
【請求項１０】
前記ダウンリンク制御情報は公共ダウンリンク制御情報又はグループダウンリンク制御情報であり、前記公共ダウンリンク制御情報は公共検索空間で伝送される情報であり、前記グループダウンリンク制御情報は複数の端末装置を含む端末装置集合中の各端末装置に伝送される情報であることを特徴とする請求項９に記載の方法。
【請求項１１】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項９又は１０に記載の方法。
【請求項１２】
端末装置であって、
前記端末装置が時間領域リソースユニット中に物理リソースを予約する必要があるか否かを指示するリソース予約指示情報を含むダウンリンク制御情報ＤＣＩを受信する伝送モジュールと、
前記リソース予約指示情報に基づき、前記時間領域リソースユニット中の第１信号を伝送するための第１物理リソースを決定し、又は前記時間領域リソースユニット中のアップリンク／ダウンリンクガードインターバルによって占有される第２物理リソースを決定する処理モジュールと、を備えることを特徴とする端末装置。
【請求項１３】
前記ＤＣＩは、前記端末装置が前記時間領域リソースユニットによって前記第１信号を伝送することを指示することを特徴とする請求項１２に記載の端末装置。
【請求項１４】
前記ダウンリンク制御情報は公共ダウンリンク制御情報又はグループダウンリンク制御情報であり、前記公共ダウンリンク制御情報は公共検索空間で伝送される情報であり、前記グループダウンリンク制御情報は複数の端末装置を含む端末装置集合中の各端末装置に伝送される情報であることを特徴とする請求項１２に記載の端末装置。
【請求項１５】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項１２〜１４のいずれか一項に記載の端末装置。
【請求項１６】
前記リソース予約指示情報により前記端末装置が前記時間領域リソースユニット中に物理リソースを予約する必要があると指示される場合、前記処理モジュールは具体的には、
前記リソース予約指示情報に基づき、前記時間領域リソースユニット中の予約物理リソースを決定し、
前記時間領域リソースユニット中の前記予約物理リソースを除くほかの物理リソースから前記第１物理リソース、又は前記第２物理リソースを決定することを特徴とする請求項１２〜１５のいずれか一項に記載の端末装置。
【請求項１７】
前記処理モジュールはさらに、前記第１物理リソースに基づき、前記第１信号にレートマッチング処理又はパンチ処理を行い、
前記伝送モジュールはさらに、レートマッチング処理又はパンチ処理済みの前記第１信号を伝送することを特徴とする請求項１２〜１６のいずれか一項に記載の端末装置。
【請求項１８】
前記第１信号は物理アップリンク共有チャネルＰＵＳＣＨ、又は物理アップリンク制御チャネルＰＵＣＣＨ、又は物理ダウンリンク制御チャネルＰＤＣＣＨ、又は物理ダウンリンク共有チャネルＰＤＳＣＨ、又はサウンディング基準信号ＳＲＳ、又はチャネル状態指示基準信号ＣＳＩ−ＲＳ、又はＤＭＲＳ、又は位相トラッキング信号ＰＴＳ、又はビーム基準信号ＢＲＳであることを特徴とする請求項１２〜１７のいずれか一項に記載の端末装置。
【請求項１９】
前記処理モジュールは具体的には、
前記リソース予約指示情報に基づき、前記時間領域リソースユニット中の前記アップリンク／ダウンリンクガードインターバルの位置及び／又は長さを決定することを特徴とする請求項１２〜１５のいずれか一項に記載の端末装置。
【請求項２０】
信号を伝送するためのネットワーク装置であって、
端末装置が時間領域リソースユニット中に物理リソースを予約する必要があるか否かを指示するリソース予約指示情報を含むダウンリンク制御情報ＤＣＩを決定する処理モジュールと、
前記処理モジュールにより決定された前記ダウンリンク制御情報を前記端末装置に送信し、それにより前記端末装置は前記リソース予約指示情報に基づき前記時間領域リソースユニット中の第１信号を伝送するための第１物理リソースを決定し、又は前記時間領域リソースユニット中のアップリンク／ダウンリンクガードインターバルによって占有される第２物理リソースを決定する伝送モジュールと、を備えることを特徴とするネットワーク装置。
【請求項２１】
前記ダウンリンク制御情報は公共ダウンリンク制御情報又はグループダウンリンク制御情報であり、前記公共ダウンリンク制御情報は公共検索空間で伝送される情報であり、前記グループダウンリンク制御情報は複数の端末装置を含む端末装置集合中の各端末装置に伝送される情報であることを特徴とする請求項２０に記載のネットワーク装置。
【請求項２２】
前記リソース予約指示情報により前記端末装置が前記時間領域リソースユニット中に物理リソースを予約する必要があると指示される場合、前記リソース予約指示情報は前記端末装置が予約する必要がある物理リソースの位置及び／又はサイズを含むことを特徴とする請求項２０又は２１に記載のネットワーク装置。
【国際調査報告】
2020516095.tif 000015
2020516095.tif 000016
2020516095.tif 000017
2020516095.tif 000018